(57)【要約】【解決手段】水素発生装置１において、ガラス基板２の表面に内面に二酸化チタン膜４を塗布した複数の微少な半円溝３を設け、前記半円溝３に水を流して、ガラス基板２に光照射装置６から光を照射して光化学反応を生じさせ、水を水素と酸素に分離して前記水素を水素透過膜５を介して回収する。【効果】効率よく簡便に水素を回収することができる水素発生装置及び水素発生方法を提供することができる。【選択図】　　　　図１
2004035356.tif 000002
【特許請求の範囲】
【請求項１】
水と光触媒とを接触させて光化学反応により水素を発生させる装置であって、ガラス基板表面に前記光触媒を内面に塗布した複数の凹部を設け、前記複数の凹部を設けたガラス基板表面を水素透過膜で覆ったことを特徴とする水素発生装置。
【請求項２】
前記光触媒は二酸化チタンであることを特徴とする請求項１記載の水素発生装置。
【請求項３】
前記凹部は水を流す方向に設けられていることを特徴とする請求項１または請求項２記載の水素発生装置。
【請求項４】
前記凹部は半径５〜５０μｍの半円溝であることを特徴とする請求項１から請求項３までのいずれかの請求項に記載の水素発生装置。
【請求項５】
前記水素発生装置には前記凹部を設けたガラス基板表面と反対側のガラス面側に光照射装置が配置されている特徴とする請求項１から請求項４までのいずれかの請求項に記載の水素発生装置。
【請求項６】
前記水素発生装置は一定の大きさの複数の前記ガラス基板を直列若しくは／及び並列に配置したことを特徴とする請求項１から請求項５までのいずれかの請求項に記載の水素発生装置。
【請求項７】
水と光触媒とを接触させて光化学反応により水素を発生させる方法であって、ガラス基板表面に設けた内面に光触媒を塗布した水流方向に設けられた複数の凹部に一端部側から水を流し、前記凹部を設けたガラス基板表面と反対側のガラス面から光を照射して前記凹部内で前記水と光触媒により光化学反応を生じさせ、前記水を水素と酸素に分解させた後、前記複数の凹部を設けたガラス基板表面を覆った水素透過膜を介して前記水素を回収することを特徴とする水素発生方法。
【請求項８】
前記光触媒は二酸化チタンであることを特徴とする請求項７記載の水素発生方法。
【請求項９】
前記凹部は半径５〜５０μｍの半円溝であることを特徴とする請求項８記載の水素発生方法。
【請求項１０】
前記水が分解されて生じた酸素は前記凹部の他端部から排出されることを特徴とする請求項７から請求項９までのいずれかの請求項に記載の水素発生方法。
【発明の詳細な説明】
【０００１】
【発明の属する技術分野】
本発明は、水と光触媒とを用いて光化学反応により水素を発生させる装置及び水素を発生させる方法に関する。
【０００２】
【従来の技術】
従来から光触媒として光化学反応により水を水素と酸素に分解して水素を回収する技術は良く知られており、最近では水素の回収効率を向上させるために精力的に研究開発が行われている。
【０００３】
従来は水を収納した容器に例えば二酸化チタン等の光触媒の粉末を投入し、水を撹拌しながらその容器に光を照射して光化学反応により水を水素と酸素に分解して水素を回収していた。
【０００４】
【発明が解決しようとする課題】
ところで、上記のような従来の技術には、次のような解決すべき課題があった。
即ち、従来の水素発生方法では、二酸化チタン等の光触媒表面での反応であったため、光触媒に接触している部分から水への拡散速度が律速となり、水素の発生効率が悪いという課題があった。
【０００５】
また、分解した水素と酸素は同一容器内で発生するためにそれぞれの分離に工夫を要し、簡便な装置を構成することが困難であるという課題もあった。
【０００６】
本発明は、水素の発生効率を高め、簡便に水素と酸素を分離回収できる水素発生装置及び水素発生方法を提供しようとするものである。
【０００７】
【課題を解決するための手段】
本発明は以上の点を解決するため次の構成を採用する。
〈構成１〉
水と光触媒とを接触させて光化学反応により水素を発生させる装置であって、ガラス基板表面に上記光触媒を内面に塗布した複数の凹部を設け、上記複数の凹部を設けたガラス基板表面を水素透過膜で覆ったことを特徴とする水素発生装置。
【０００８】
〈構成２〉
上記光触媒は二酸化チタンであることを特徴とする構成１記載の水素発生装置。
【０００９】
〈構成３〉
上記凹部は水を流す方向に設けられていることを特徴とする構成１または構成２記載の水素発生装置。
【００１０】
〈構成４〉
上記凹部は半径５〜５０μｍの半円溝であることを特徴とする構成１から構成３までのいずれかの構成に記載の水素発生装置。
【００１１】
〈構成５〉
上記水素発生装置には上記凹部を設けたガラス基板表面と反対側のガラス面側に光照射装置が配置されている特徴とする構成１から構成４までのいずれかの構成に記載の水素発生装置。
【００１２】
〈構成６〉
上記水素発生装置は一定の大きさの複数の上記ガラス基板を直列若しくは／及び並列に配置したことを特徴とする構成１から構成５までのいずれかの構成に記載の水素発生装置。
【００１３】
〈構成７〉
水と光触媒とを接触させて光化学反応により水素を発生させる方法であって、ガラス基板表面に設けた内面に光触媒を塗布した水流方向に設けられた複数の凹部に一端部側から水を流し、上記凹部を設けたガラス基板表面と反対側のガラス面から光を照射して上記凹部内で上記水と光触媒により光化学反応を生じさせ、上記水を水素と酸素に分解させた後、上記複数の凹部を設けたガラス基板表面を覆った水素透過膜を介して上記水素を回収することを特徴とする水素発生方法。
【００１４】
〈構成８〉
上記光触媒は二酸化チタンであることを特徴とする構成７記載の水素発生方法。
【００１５】
〈構成９〉
上記凹部は半径５〜５０μｍの半円溝であることを特徴とする構成８記載の水素発生方法。
【００１６】
〈構成１０〉
上記水が分解されて生じた酸素は上記凹部の他端部から排出されることを特徴とする構成７から構成９までのいずれかの構成に記載の水素発生方法。
【００１７】
【発明の実施の形態】
以下、本発明の実施の形態を図面を用いて説明する。
図１は本発明の一実施例を説明する断面図である。
図１において、本発明の水素発生装置１はガラス基板２の表面に微少な径の複数の凹部、ここでは半円溝３が設けられており、この半円溝３には例えば二酸化チタン（ＴｉＯ２）のような光触媒４が半円溝内面を覆うように塗布されている。そして、このガラス基板２の表面は水素透過膜５により覆われている。また、ガラス基板２の凹部を設けた表面側と反対のガラス面側に光照射装置６が配置されている。
【００１８】
図２は前記図１に示す本発明の水素発生装置の斜視図である。図２に示すように、ガラス基板２の表面に設けた複数の半円溝３は水（Ｈ２Ｏ）を流す方向に設けられている。このように水は半円溝の一端側から流され、光照射装置６により光が照射されると、半円溝３内において二酸化チタンの光触媒作用により光化学反応が生じ、流された水が水素と酸素に分解される。分解された水素は水素透過膜５を介して図示しない回収装置に回収される。この時、水素透過膜５の上部に設けた回収装置を密閉容器とすることにより回収効率を高めることができる。
【００１９】
半円溝３内にはまだ分解していない水と分解後発生した酸素が共存しているが、未分解の水は順次分解して減少して行き、分解後発生した酸素は半円溝３の他端部より排出されるようになっている。
【００２０】
ここで、本発明において微少な径の凹部を設けた理由は、微少寸法の空間では拡散が速やかに行われるため、凹部内における水素と酸素の濃度分布が一様になり、水素の発生効率が向上するからである。
【００２１】
凹部、即ち半円溝３の半径は５〜５０μｍの大きさが好ましく、５μｍより小さくなると水を流す効率が悪くなり、５０μｍより大きくなると半円溝内の水中に水素と酸素の濃度分布ができ好ましくない。径が大きい場合、半円溝内では水素と酸素の濃度が高くなり、半円溝内面に気泡ができるなどして反応を阻害してしまう虞がある。
【００２２】
半円溝３に塗布する光触媒４の種類としては二酸化チタンが古くから光触媒として用いられ、安定した光化学反応を生じさせるので好ましい。その他チタン酸ストロンチウム（ＳｒＴｉＯ３）、酸化ジルコニウム（ＺｒＯ２）、酸化タンタル（Ｔａ２Ｏ５）やタンタル系酸化物（ＬｉＴａＯ３、ＮａＴａＯ３、ＫＴａＯ３、ＣａＴａ２Ｏ６、ＳｒＴａ２Ｏ６、Ｓｒ２Ｔａ２Ｏ７、ＢａＴａ２Ｏ６等）なども用いることができ、本発明の目的に適うものならば特に限定されるものではない。
【００２３】
ガラス基板２の表面を覆う水素透過膜５は通常用いられているもので差し支えなく、例えばパラジウムあるいはパラジウム合金水素透過膜、アモルファスＺｒ３６Ｎｉ６４水素透過膜などが挙げられ、やはり本発明の目的に適うものならば特に限定されるものではない。
【００２４】
本発明の水素発生装置に照射する光は紫外線、可視光線等特に限定されるものではなく、本発明の目的に用いられる光触媒に対して最も適した種類の光を選択すればよい。例えば太陽光を用いれば反応に必要なエネルギーが少なくてすむので全体コストを低減することができる。
【００２５】
また本発明は図３に示すように、一定の大きさのガラス基板を一単位としてこのガラス基板を複数個、例えばＡとＢ、ＣとＤのように直列に若しくはＡとＣ、ＢとＤのように並列に配置したり、あるいはＡ、Ｂ、Ｃ、Ｄのように直列及び並列に組み合わせて配置して水素発生装置を構成することもできる。このようにするとより大量の水素を効率よく発生させることができる。なお、本図においては光照射装置の図示を省略している。
【００２６】
【発明の効果】
以上のように本発明によれば、ガラス基板表面に内面に光触媒を塗布した複数の微少な凹部を設け、その凹部に水を流しながらガラス基板に光を照射して光化学反応を生じさせて水を水素と酸素に分解してガラス基板表面を覆った水素透過膜を介して水素を回収するようにしたので、従来に比較して効率よくかつ簡便に水素を発生させることができる水素発生装置及び水素発生方法を提供することができる。
【図面の簡単な説明】
【図１】本発明の一実施例を説明する断面図である。
【図２】本発明の一実施例の斜視図である。
【図３】本発明の他の実施例を説明する斜視図である。
【符号の説明】
１　　　　水素発生装置
２　　　　ガラス基板
３　　　　半円溝
４　　　　光触媒
５　　　　水素透過膜
６　　　　光照射装置
【図１】
2004035356.tif 000003
【図２】
2004035356.tif 000004
【図３】
2004035356.tif 000005